Podtech/llm-jp-corpus-v4-ja_patent huggingface dataset:
【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
第１のカム部を有する第１の筒部材と、
第２のカム部を有して前記第１の筒部材に同軸に配置されるとともに、該第１の筒部材に対して軸方向に相対移動可能に支持される第２の筒部材と、を備え、
該第２の筒部材の前記第１の筒部材に対する軸方向の接近離間移動により、前記第１のカム部と前記第２のカム部とが接続される状態と、前記第１のカム部と前記第２のカム部との接続が解除される状態とに遷移する、
ことを特徴とするカム筒。
【請求項２】
前記第１のカム部及び前記第２のカム部はそれぞれ２つのカムを有し、
前記第２の筒部材が前記第１の筒部材に対して軸方向に接近移動したときに、前記第１のカム部の一方のカムと前記第２のカム部の一方のカムとが接続されるとともに、前記第１のカム部の他方のカムと前記第２のカム部の他方のカムとの接続が解除され、
前記第２の筒部材が前記第１の筒部材に対して軸方向に離間移動したときに、前記第１のカム部の他方のカムと前記第２のカム部の他方のカムとが接続されるとともに、前記第１のカム部の一方のカムと前記第２のカム部の一方のカムとの接続が解除される、
ことを特徴とする請求項１に記載のカム筒。
【請求項３】
カム筒を備えたレンズ鏡筒であって、
前記カム筒は、第１のカム部を有する第１の筒部材と、
第２のカム部を有して前記第１の筒部材に同軸に配置されるとともに、該第１の筒部材に対して軸方向に相対移動可能に支持される第２の筒部材と、を備え、
該第２の筒部材の前記第１の筒部材に対する軸方向の接近離間移動により、前記第１のカム部と前記第２のカム部とが接続される状態と、前記第１のカム部と前記第２のカム部との接続が解除される状態とに遷移する、
ことを特徴とするレンズ鏡筒。
【請求項４】
前記第１のカム部及び前記第２のカム部はそれぞれ２つのカムを有し、
前記第２の筒部材が前記第１の筒部材に対して軸方向に接近移動したときに、前記第１のカム部の一方のカムと前記第２のカム部の一方のカムとが接続されるとともに、前記第１のカム部の他方のカムと前記第２のカム部の他方のカムとの接続が解除され、
前記第２の筒部材が前記第１の筒部材に対して軸方向に離間移動したときに、前記第１のカム部の他方のカムと前記第２のカム部の他方のカムとが接続されるとともに、前記第１のカム部の一方のカムと前記第２のカム部の一方のカムとの接続が解除される、
ことを特徴とする請求項３に記載のレンズ鏡筒。
【請求項５】
前記第２の筒部材に設けられた伸縮カムと、
前記第１の筒部材の軸方向に該第１の筒部材と一体に移動するとともに、前記第１の筒部材を相対回転可能に支持し、且つ前記伸縮カムに係合する係合部を有する第３の筒部材と、を備え、
該第３の筒部材に対して前記第２の筒部材が相対回転することにより、前記係合部が前記伸縮カムに沿って案内されて、該第２の筒部材が前記第１の筒部材に対して軸方向に相対移動する、
ことを特徴とする請求項３又は４に記載のレンズ鏡筒。
【請求項６】
前記第１の筒部材と前記第２の筒部材とを互いに軸方向に離間する方向に付勢する付勢手段を備え、
前記第３の筒部材は、前記第１の筒部材に掛止して前記付勢力を受け止める掛止部を有する、
ことを特徴とする請求項５に記載のレンズ鏡筒。
【請求項７】
前記第１の筒部材と前記第２の筒部材とは、内径寸法及び外径寸法がそれぞれ同一である、
ことを特徴とする請求項３〜６のいずれか一項に記載のレンズ鏡筒。
【手続補正２】
【補正対象書類名】明細書
【補正対象項目名】００５９
【補正方法】変更
【補正の内容】
【００５９】
更に、第１のカム環３と第２のカム環４との内外径寸法を同一としているので、径方向の寸法が拡大することなく、カム環の伸縮機構を構成することができる。
【手続補正３】
【補正対象書類名】図面
【補正対象項目名】図１
【補正方法】変更
【補正の内容】
【図１】
2008009179.tif 000001
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
基板、
光起電デバイスの基板の表面上に配設された複数の細長いナノ構造体、及び
複数の細長いナノ構造体上にコンフォーマルに堆積して複数の光活性接合を形成する多層膜
を含んでなる光起電力デバイス。
【請求項２】
複数の細長いナノ構造体がシリコンナノワイヤからなる、請求項１記載の光起電力デバイス。
【請求項３】
多層膜の層が５〜５００００Åの範囲内の相対厚さを有する、請求項１記載の光起電力デバイス。
【請求項４】
さらに、複数の細長いナノ構造体間の空隙を満たすと共に複数の細長いナノ構造体の上方に平らな表面を与えるようにして多層膜上にコンフォーマルに配設された透明導電性材料（ＴＣＭ）を含む、請求項１記載の光起電力デバイス。
【請求項５】
さらに、光起電力デバイスを外部回路に接続するために機能し得る上部接点及び下部接点を含み、上部接点はＴＣＭ上に配設されており、下部接点は細長いナノ構造体の反対側にある基板の表面上に配設されるか、又は基板中に組み込まれている、請求項４記載の光起電力デバイス。
【請求項６】
光起電力デバイスの製造方法であって、
基板表面上に複数の細長いナノ構造体を生成する段階、及び
複数の細長いナノ構造体上に多層膜をコンフォーマルに堆積させることで複数の光活性接合を形成する段階
を含んでなる方法。
【請求項７】
形成される複数の光活性接合の１以上が、ｐｎ接合、ｐｉｎ接合及びトンネル接合の１以上からなる、請求項６記載の方法。
【請求項８】
さらに、複数の細長いナノ構造体間の空隙を満たすと共に複数の細長いナノ構造体の上方に平らな表面を与えるようにして多層膜上に導電性透明材料をコンフォーマルに配設する段階を含む、請求項６記載の方法。
【請求項９】
さらに、光起電力デバイスを外部回路に接続するために機能し得る上部接点及び下部接点を形成する段階を含む、請求項６記載の方法。
【請求項１０】
細長いナノ構造体が、ＣＶＤ、ＭＯＣＶＤ、ＰＥＣＶＤ、ＨＷＣＶＤ、原子層堆積、電気化学堆積、溶液型化学堆積及びこれらの組合せからなる群から選択される方法により成長させることで得られる、請求項６記載の方法。
【請求項１１】
細長いナノ構造体が、触媒を用いて金属ナノ粒子から成長させることで得られる、請求項６記載の方法。
【請求項１２】
金属ナノ粒子がナノ多孔質テンプレート中に存在する、請求項１１記載の方法。
【請求項１３】
金属ナノ粒子が、金（Ａｕ）、インジウム（Ｉｎ）、ガリウム（Ｇａ）及び鉄（Ｆｅ）からなる群から選択される金属からなる、請求項１１記載の方法。
【請求項１４】
多層膜をコンフォーマルに堆積させる段階が、ＣＶＤ、ＭＯＣＶＤ、ＰＥＣＶＤ、ＨＷＣＶＤ、スパッタリング及びこれらの組合せからなる群から選択される技術を用いて実施される、請求項６記載の方法。
【請求項１５】
請求項１記載の光起電力デバイスの１以上を含んでなるソーラーパネルであって、かかるデバイスを周囲の大気環境から隔離すると共に電力の発生を可能にするソーラーパネル。
【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
ヒートシンクにおいて、
ヒートシンクボディの２つの端部（４，５）の間に延びたヒートシンクボディ（３）が設けられており、ヒートシンクが、ヒートシンクを第１の端部から壁部（１７）に設けられた開口（１６）に導入するために及び第２の端部への発熱エレメント（１４）の熱伝導可能な結合のために設計されており、
第１の端部から第２の端部までのヒートシンクボディの主延在方向（６）が曲げられているか又は鋭く曲げられており、
ヒートシンク（２）が、第１の端部（４）の領域に配置された支持手段（３１）を有しており、該支持手段が、開口（１６）を通って案内されるヒートシンクボディの部分を機械的に支持することができることを特徴とする、ヒートシンク。
【請求項２】
前記ヒートシンクボディ（３）が、Ｕ字形、Ｖ字形又はＬ字形である、請求項１記載のヒートシンク。
【請求項３】
Ｕ又はＶの一方の脚が、それぞれＵ又はＶの他方の脚よりも短い、請求項２記載のヒートシンク。
【請求項４】
第１の端部（４）が、それぞれＵ又はＶの短い方の脚に配置されている、請求項３記載のヒートシンク。
【請求項５】
前記発熱エレメント（１４）が第２の端部に固定されている、請求項１から４までのいずれか１項記載のヒートシンク。
【請求項６】
前記発熱エレメント（１４）が、電磁放射発生エレメント、例えばハロゲン電球又は発光ダイオードである、請求項１から５までのいずれか１項記載のヒートシンク。
【請求項７】
電磁放射発生エレメントが発光ダイオードである、請求項６記載のヒートシンク。
【請求項８】
前記ヒートシンクボディ（３）が、前記開口（１６）を通って案内されるヒートシンクボディの一部が開口の縁部を越えて横方向に延びているように設計されている、請求項１から７までのいずれか１項記載のヒートシンク。
【請求項９】
前記開口（１６）が、ヒートシンク（２）が導入される自由空間（１５）へのアクセスを提供し、該自由空間が２つの壁部（１７，１８）によって形成されており、前記開口が第１の壁部（１７）に設けられており、第２の壁部（１８）が第１の壁部から間隔を置いて配置されておりかつ開口の上方に延びている、請求項１から８までのいずれか１項記載のヒートシンク。
【請求項１０】
開口（１６）を通って案内されるヒートシンクの部分の長さが、開口の、第２の壁部と反対の側から第２の壁部（１８）までの距離よりも大きい、請求項９記載のヒートシンク。
【請求項１１】
ヒートシンク（２）が、該ヒートシンクを開口に固定するための固定手段（２０）を有している、請求項１から１０までのいずれか１項記載のヒートシンク。
【請求項１２】
ヒートシンク（２）が、該ヒートシンクを開口に解離可能に固定するための固定手段（２０）を有している、請求項１から１１までのいずれか１項記載のヒートシンク。
【請求項１３】
前記固定手段（２０）が、ヒートシンクボディ（３）の第２の端部（５）の領域に配置されている、請求項１１又は１２記載のヒートシンク。
【請求項１４】
前記固定手段（２０）がレバーエレメント（２１）とばねエレメント（２２）とを含み、該ばねエレメントが、ヒートシンクを第２の端部において開口に固定するために、開口（１６）が設けられた壁部（１７）に対してレバーエレメントを押し付けることができる、請求項１１から１３までのいずれか１項記載のヒートシンク。
【請求項１５】
レバーエレメント（２１）が、開口（１６）を貫通するように、かつ第１の端部（４）から遠い方の開口の側からアクセス可能であるように設計されている、請求項１３記載のヒートシンク。
【請求項１６】
レバーエレメント（２１）が、壁部（１７）に係合するための、１つの突出エレメント又は複数の突出エレメント（２４，２５，２６）を有しており、複数の突出エレメントの場合、突出エレメントが、ヒートシンク（２）を、様々な厚さの壁部に設けられた開口（１６）に固定するように適応されている、請求項１４又は１５記載のヒートシンク。
【請求項１７】
ヒートシンクボディ（３）が取付け凹所（３９）を有しており、該取付け凹所内に固定手段（２０）が少なくとも部分的に沈められることができる、請求項１１から１６までのいずれか１項記載のヒートシンク。
【請求項１８】
前記支持手段（３１）が、開口（１６）を備えた壁部（１７）に、前記開口から所定の距離を置いて機械的に接触するように設計されている、請求項１から１７までのいずれか１項記載のヒートシンク。
【請求項１９】
ヒートシンクボディ（３）が凹所（３５）を有しており、該凹所内に支持手段（３１）が少なくとも部分的に沈められることができる、請求項１から１８までのいずれか１項記載のヒートシンク。
【請求項２０】
前記支持手段（３１）が、支持レバー（３２）と支持ばね（３３）とを有する、請求項１から１９までのいずれか１項記載のヒートシンク。
【請求項２１】
前記支持ばね（３３）が、開口を備えた壁部（１７）から離れる方向にヒートシンクボディ（３）を押し付けることができる、請求項２０記載のヒートシンク。
【請求項２２】
前記支持レバー（３２）が、ヒートシンクボディ（３）から遠い方の支持レバーの側において、丸味付けられた部分（３６）を有している、請求項２０又は２１記載のヒートシンク。
【請求項２３】
ヒートシンクボディ（３）が、開口を平面図で見た場合に、開口の形状と合致する断面形状を有している、請求項１から２２までのいずれか１項記載のヒートシンク。
【請求項２４】
ヒートシンクボディの断面と開口とが円形である、請求項２３記載のヒートシンク。
【請求項２５】
照明システム（１）において、
請求項１から２４までのいずれか１項記載のヒートシンク（２）が設けられており、該ヒートシンクが開口（１６）に固定されており、前記ヒートシンクに発光部材（１４）が固定されていることを特徴とする、照明システム。
【請求項２６】
前記発光部材（１４）がスポットライトである、請求項２５記載の照明システム。
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
電極としての機能を備え、フレキシブル性を有し、かつ、色素増感剤が表面に坦持された金属酸化物半導体微粒子を含む多孔質層が一方の表面上に形成されている色素増感型太陽電池用基材と、前記色素増感型太陽電池用基材に対向するように配置され、電極としての機能を備え、かつ、フレキシブル性を有する対向電極基材と、前記色素増感型太陽電池用基材および対向電極基材の間に形成され、前記多孔質層と接するように形成された固体電解質層とを有し、さらに、前記色素増感型太陽電池用基材または前記対向電極基材の少なくとも一方が透明性を有する基材である色素増感型太陽電池であって、
前記色素増感型太陽電池用基材または前記対向電極基材の少なくとも一方の表面上には絶縁層が形成されており、
前記絶縁層は、前記多孔質層が形成されている多孔質層形成領域の周囲であり、かつ、前記色素増感型太陽電池用基材および前記対向電極基材が対向している領域に形成され、
さらに前記絶縁層は、前記多孔質層形成領域内から外部に外通する外通部を有することを特徴とする色素増感型太陽電池。
【請求項２】
前記色素増感型太陽電池用基材が金属箔からなり、かつ、前記対向電極基材が透明性を有する基材であることを特徴とする請求項１に記載の色素増感型太陽電池。
【請求項３】
前記絶縁層が粘着性を有することを特徴とする請求項１または請求項２に記載の色素増感型太陽電池。
【請求項４】
前記多孔質層形成領域が四辺形であり、前記多孔質層形成領域の対向する二辺に前記絶縁層が形成されていることを特徴とする請求項１から請求項３までのいずれかの請求項に記載の色素増感型太陽電池。
【請求項５】
請求項１から請求項４までのいずれかの請求項に記載の色素増感型太陽電池が複数個連結されてなることを特徴とする色素増感型太陽電池モジュール。
【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
有機フッ素化合物及び水酸化テトラアルキルアンモニウムを含むフォトレジスト現像排水の水酸化テトラアルキルアンモニウム／有機フッ素化合物（質量比）で表される含有比率を低減する前処理装置と、アニオン交換体を含むイオン交換体を充填したアニオン交換塔と、前記前処理装置で処理した水を前記アニオン交換塔に流す手段とを有するフォトレジスト現像排水の排水処理システム。
【請求項２】
前記前処理装置は、カチオン交換体を含むイオン交換体を充填したカチオン交換塔である、請求項１に記載のフォトレジスト現像排水の排水処理システム。
【請求項３】
前記前処理装置は、膜分離装置である、請求項１に記載のフォトレジスト現像排水の排水処理システム。
【請求項４】
前記前処理装置は、電気透析装置である、請求項１に記載のフォトレジスト現像排水の排水処理システム。
【請求項５】
前記アニオン交換塔に再生液を流す手段と、前記アニオン交換塔を流通した再生液を分解処理する分解装置とを有する、請求項１〜４のいずれか１項に記載のフォトレジスト現像排水の排水処理システム。
【請求項６】
前記分解装置は、再生液を超臨界状態にする超臨界水酸化装置である、請求項５に記載のフォトレジスト現像排水の排水処理システム。
【手続補正書】
【提出日】平成23年5月2日(2011.5.2)
【手続補正１】
【補正対象書類名】明細書
【補正対象項目名】００１３
【補正方法】変更
【補正の内容】
【００１３】
また本発明において、上記フッ素系樹脂のウレタン反応に寄与する水酸基の量が、ＯＨ価で１００〜２１０ｍｇ（ＫＯＨ／ｇフッ素系樹脂）であることを特徴とするものである。
【手続補正２】
【補正対象書類名】明細書
【補正対象項目名】００４６
【補正方法】変更
【補正の内容】
【００４６】
一方、本発明においては硬化剤としてイソシアネート樹脂を用いる。水廻り部材のベース成形品は通常、不飽和ポリエステル樹脂からなるＦＲＰやビニルエステル樹脂などの樹脂で形成されることが多く、上記のフッ素系樹脂とイソシアネート樹脂の混合溶液を塗布して硬化させる際に高温の熱をかけることができないが、フッ素系樹脂中のウレタン反応性を有する水酸基とイソシアネート樹脂のイソシアネート基（ＮＣＯ基）は低温で反応して、ウレタン重合するので、常温乃至低温硬化によって機能層を形成することができるものである。ベース成形品にフッ素系樹脂とイソシアネート樹脂の混合溶液を塗布して硬化させる際の温度条件は、特に限定されるものではないが、７０〜１２０℃程度が好ましい。また硬化時間も特に限定されるものではないが、１〜２時間程度が好ましい。
【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
レーザ光を用いて加工対象の表面にマーキングを行うレーザマーカであって、
レーザ光を発生させるレーザ光源と、
前記レーザ光源で得られるレーザ光を印字対象物の面上で少なくとも２次元で走査する走査手段と、
マーキングすべきパターンについて、該パターンを構成する線分が直線か曲線かを示す線種、及びマーキングの位置情報を含むパターンテーブルを保持するメモリ部と、
前記メモリ部に保持された線分が直線のときに、第１のスキャン速度でスキャニングするように前記走査手段を制御し、前記メモリ部に保持された線分が曲線のときに、前記第１のスキャン速度以下の第２のスキャン速度で走査するように制御すると共に、前記レーザ光源の出力レベルをスキャン速度の低下に合わせて低下させるよう制御する制御手段と、を具備するレーザマーカ。
【請求項２】
前記制御手段は、曲線の線分の走査時に、前記第１のスキャン速度にあらかじめ設定された減速率を乗じた第２のスキャン速度で走査するように前記走査手段を制御する請求項１記載のレーザマーカ。
【請求項３】
前記メモリ部は、線種が直線のときの第１のスキャン速度と、マーキングすべきパターンの線分の線種が曲線のときにその曲率を示すパラメータを保持するものであり、
前記制御手段は、曲線の線分の走査時に、そのパラメータに合わせて算出された前記第２のスキャン速度により前記走査手段を制御する請求項１記載のレーザマーカ。
【請求項４】
前記メモリ部は、線種が直線のときの第１のスキャン速度と、スキャニングの縮退を許容するレベルと、マーキングすべきパターンの線分の線種が曲線のときにその曲率を示すパラメータを保持するものであり、
前記制御手段は、曲線の線分の走査時に、前記第１のスキャン速度と、縮退を許容するレベルと、前記曲線の線分のパラメータとに基づいて、前記第２のスキャン速度を算出する請求項１記載のレーザマーカ。
【請求項５】
前記レーザ光源は、レーザ光をパルス発振するレーザ光源であり、
前記制御手段は、曲線の線分の走査時に前記レーザ光源のパルス発振周波数と当該レーザ光源から出力されるレーザパワーのピーク値を前記第２のスキャン速度に合わせて変化させることにより、前記レーザパワーのピーク値とマーキングのライン長当たりのパルス発振数とを夫々直線の線分の走査時と略同一になるよう制御する請求項１〜４のいずれか１項記載のレーザマーカ。
【請求項６】
前記制御手段は、曲線の線分の走査時に前記レーザ光源のパルス発振におけるデューティ比を前記第２のスキャン速度に合わせて変化させることにより、前記レーザパワーのピーク値を夫々直線の線分の走査時と略同一になるよう制御する請求項５記載のレーザマーカ。
【請求項７】
前記レーザ光源は、Ｑスイッチ又はシャッターを利用したパルスレーザ、又は変調制御が可能な半導体レーザを光源としたパルスレーザである請求項５又は６記載のレーザマーカ。
【請求項８】
前記レーザ光源は、Ｑスイッチ又はシャッターを利用したパルスレーザ、又は変調制御が可能な半導体レーザを光源としたパルスレーザであり、
前記制御手段は、前記Ｑスイッチの開閉によるレーザ光のエネルギー蓄積量を制御することにより、前記レーザパワーのピーク値を夫々直線の線分の走査時と略同一になるよう制御する請求項５記載のレーザマーカ。
【請求項９】
請求項１〜８のいずれか１項記載のレーザマーカと、
前記レーザマーカのメモリ部にパターンテーブルを入力する入力装置と、を具備するレーザマーキングシステム。
【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
ユニットバスの外側に装備してある補助装置において生じた不要水を排水するための排水構造であって、
上端縁にリム部が形成された浴槽と、
前記浴槽の一側面に隣接して配置され、且つ前記浴槽側の端辺に土手部が形成された洗い場用防水パンと、
前記浴槽のリム部と前記洗い場用防水パンの土手部とを連結する連結材と、
前記洗い場用防水パンの前記土手部及び前記浴槽の前記リム部の間に形成される開口を閉塞する着脱可能なバスエプロンと、を備え、
前記連結材には浴室内側空間と浴槽裏側空間とを連通する貫通穴が形成され、前記連結材の前記貫通穴に対して、前記補助装置によって発生した不要水を排水する排水管部の下流側端部を連結したことを特徴とする排水構造。
【請求項２】
前記連結材は、前記浴槽のリム部および前記洗い場用防水パンの土手部の両端部それぞれにて水密的に連結された１対の連結材から構成されており、
前記バスエプロンは、前記１対の連結材、前記浴槽のリム部、及び前記防水パンの土手部から成る枠部の全周を水密的に閉塞することが可能であり、
前記貫通孔は、前記バスエプロンの枠状に形成された水密部よりも外周側に形成されていることを特徴とする請求項１記載の排水構造。
【請求項３】
前記連結材の前記貫通穴を浴室内側から、覆うようにバスエプロンが取付られていることを特徴とする請求項１または２記載の排水構造。
【請求項４】
前記補助装置の前記排水管部の少なくとも一部は、可撓性を有する材料から形成された可撓部を有していることを特徴とする請求項１〜３のいずれか１項に記載の排水構造。
【請求項５】
前記浴槽は、浴槽用防水パンを介することなく、浴槽架台上に直置きされていることを特徴とする請求項１〜４のいずれか１項に記載の排水構造。
【手続補正２】
【補正対象書類名】明細書
【補正対象項目名】０００７
【補正方法】変更
【補正の内容】
【０００７】
本発明の一様態によれば、
ユニットバスの外側に装備してある補助装置において生じた不要水を排水するための排水構造であって、
上端縁にリム部が形成された浴槽と、
前記浴槽の一側面に隣接して配置され、且つ前記浴槽側の端辺に土手部が形成された洗い用防水パンと、
前記浴槽のリム部と前記洗い場用防水パンの土手部とを連結する連結材と、
前記洗い場用防水パンの前記土手部及び前記浴槽の前記リム部の間に形成される開口を閉塞する着脱可能なバスエプロンと、を備え、
前記連結材には浴室内側空間と浴槽裏側空間とを連通する貫通穴が形成され、
前記連結材の前記貫通穴に対して、前記補助装置によって発生した不要水を排水する排水管部の下流側端部を連結したことを特徴とする排水構造を提供する。
【手続補正書】
【提出日】平成23年5月19日(2011.5.19)
【手続補正１】
【補正対象書類名】特許請求の範囲
【補正対象項目名】請求項１８
【補正方法】変更
【補正の内容】
【請求項１８】
請求項１６に記載の周波数生成方法を演算手段に実行させる、ことを特徴とする周波数生成プログラム。
【手続補正書】
【提出日】平成23年3月4日(2011.3.4)
【手続補正１】
【補正対象書類名】明細書
【補正対象項目名】００５４
【補正方法】変更
【補正の内容】
【００５４】
送受信モジュール７１は、無線装置４０，５０，６０からそれぞれ送信された制御パケットＣＰＫＴ１〜ＣＰＫＴ３を受信し、その受信した制御パケットＣＰＫＴ１〜ＣＰＫＴ３を作成手段７３へ出力する。また、送受信モジュール７１は、無線装置４０，５０，６０から送信されたパケットを受信し、その受信したパケットを通信モジュール７６へ出力する。
【手続補正２】
【補正対象書類名】明細書
【補正対象項目名】００５５
【補正方法】変更
【補正の内容】
【００５５】
更に、送受信モジュール７１は、通信モジュール７６から受けたパケットを無線装置４０，５０，６０へ送信する。
【手続補正３】
【補正対象書類名】明細書
【補正対象項目名】００５７
【補正方法】変更
【補正の内容】
【００５７】
作成手段７３は、送受信モジュール７１から制御パケットＣＰＫＴ１〜ＣＰＫＴ３を受け、検出手段７２から受信信号強度ＲＳＳＩ２−１〜ＲＳＳＩ２−３を受ける。そして、作成手段７３は、制御パケットＣＰＫＴ１〜ＣＰＫＴ３および受信信号強度ＲＳＳＩ２−１〜ＲＳＳＩ２−３に基づいて、後述する方法によって選択表７４を作成する。
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
携帯端末装置と、問合せサーバ装置と、画像認識サーバ装置と、から構成される情報提供システムにおいて、
前記携帯端末装置は、
対象物を撮影するカメラと、
送信先アドレスと送信元アドレスを有する電子メールにカメラが撮影した対象物の撮影画像を添付させて、この電子メールを問合せサーバ装置に送信する電子メール送信手段と、問合せサーバ装置により返信された電子メールを受信する電子メール受信手段と、
を備える端末装置であって、
前記問合せサーバ装置は、
情報提供メールアドレスと画像識別情報とを対応付けたチェックデータを記憶する記憶部と、
携帯端末装置が送信した電子メールを受信して、この電子メールに添付された撮影画像を含むデータベース検索クエリを構成して、これを画像認識サーバ装置に発行して、電子メールの送信先アドレスと送信元アドレスを保持する照合要求手段と、
画像認識サーバ装置が返信した照合結果を受信する照合結果受信手段と、
照合結果受信手段が受信した照合結果に含まれる画像識別情報を用いて記憶部が記憶するチェックデータを参照して対応付けられた情報提供メールアドレスを取得して、この情報提供メールアドレスと、照合要求手段が保持した送信先アドレスとを比較して、両者が一致するか否かを判定する判定手段と、
判定手段の比較結果が一致すれば、照合結果受信手段が受信した照合結果からＵＲＬ（Ｕｎｉｆｏｒｍ  Ｒｅｓｏｕｒｃｅ  Ｌｏｃａｔｏｒの略）を取り出して、これを含む情報提供メールを作成して、あるいは、判定手段の比較結果が不一致であれば、照合失敗情報を含んだ電子メールを作成して、作成した電子メールを照合要求手段が保持した送信元アドレスに返信する電子メール返信手段と、
を備えるサーバ装置であって、
前記画像認識サーバ装置は、
画像特徴量情報と画像識別情報とＵＲＬを関連付けた特徴量データベースを記憶する記憶部と、
問合せサーバ装置が発行したデータベース検索クエリを受け付けて、これを用いて、記憶部が記憶する特徴量データベースを検索して、画像識別情報とＵＲＬを抽出するＵＲＬ取得手段と、
ＵＲＬ取得手段が抽出した画像識別情報とＵＲＬとを含む照合結果を作成してこれを問合せサーバ装置に返信する照合結果返信手段と、
を備えるサーバ装置である、
ことを特徴とする情報提供システム。
【請求項２】
情報提供メールアドレスと画像識別情報とを対応付けたチェックデータを記憶する記憶部と、
携帯端末装置が送信した電子メールを受信して、この電子メールに添付された撮影画像を含むデータベース検索クエリを構成して、これを画像認識サーバ装置に発行して、電子メールの送信先アドレスと送信元アドレスを保持する照合要求手段と、
画像認識サーバ装置が返信した照合結果を受信する照合結果受信手段と、
照合結果受信手段が受信した照合結果に含まれる画像識別情報を用いて記憶部が記憶するチェックデータを参照して対応付けられた情報提供メールアドレスを取得して、この情報提供メールアドレスと、照合要求手段が保持した送信先アドレスとを比較して、両者が一致するか否かを判定する判定手段と、
判定手段の比較結果が一致すれば、照合結果受信手段が受信した照合結果からＵＲＬ（Ｕｎｉｆｏｒｍ  Ｒｅｓｏｕｒｃｅ  Ｌｏｃａｔｏｒの略）を取り出して、これを含む情報提供メールを作成して、あるいは、判定手段の比較結果が不一致であれば、照合失敗情報を含んだ電子メールを作成して、作成した電子メールを照合要求手段が保持した送信元アドレスに返信する電子メール返信手段と、
を備えることを特徴とする問合せサーバ装置。
【請求項３】
画像特徴情報と情報提供メールアドレスと画像識別情報とを対応付けた特徴量データベースと、情報提供メールアドレスと画像識別情報とを対応付けたチェックデータと、を用いる情報提供方法であって、
（１）問合せサーバ装置は、携帯端末装置が送信した電子メールを受信して、この電子メールに添付された撮影画像を含むデータベース検索クエリを構成して、これを画像認識サーバ装置に発行して、電子メールの送信先アドレスと送信元アドレスを保持する照合要求ステップと、
（２）画像認識サーバ装置は、問合せサーバ装置が発行したデータベース検索クエリを受け付けて、これを用いて、記憶部が記憶する特徴量データベースを検索して、画像識別情報とＵＲＬを抽出するＵＲＬ抽出ステップと、
（３）画像認識サーバ装置は、抽出した画像識別情報とＵＲＬとを含む照合結果を作成してこれを問合せサーバ装置に返信する比較結果返信ステップと、
（４）問合せサーバ装置は、画像認識サーバ装置が返信した照合結果を受信して、これに含まれる画像識別情報を用いてチェックデータを参照して対応付けられた情報提供メールアドレスを取得して、この情報提供メールアドレスと、照合要求ステップにて保持した送信先アドレスとを比較して、両者が一致するか否かを判定する比較判定ステップと、
（５）問合せサーバ装置は、比較結果が一致すれば、比較判定ステップにて受信した照合結果に含まれるＵＲＬを含んだ電子メールを作成して、比較結果が不一致であれば、照合失敗情報を含んだ電子メールを作成して、作成した電子メールを照合要求ステップにて保持した送信元アドレスに返信する情報提供メール返信ステップと、
を含んだ手順でなされることを特徴とする情報提供方法。
【請求項４】
コンピュータに組込むことによって、コンピュータを請求項１または請求項２に記載の情報提供システムとして動作させるコンピュータプログラム#。
【手続補正２】
【補正対象書類名】明細書
【補正対象項目名】発明の名称
【補正方法】変更
【補正の内容】
【発明の名称】情報提供システム、問合せサーバ装置、情報提供方法、コンピュータプログラム
【手続補正３】
【補正対象書類名】明細書
【補正対象項目名】０００１
【補正方法】変更
【補正の内容】
【０００１】
本発明は、画像を用いて検索した情報（たとえば、キャンペーン情報）を、携帯端末装置（たとえば、携帯電話）に提供する情報提供システム、問合せサーバ装置、情報提供方法、コンピュータプログラム、に関するものである。
【手続補正４】
【補正対象書類名】明細書
【補正対象項目名】０００５
【補正方法】変更
【補正の内容】
【０００５】
本発明はこのような従来技術を考慮してなされたものであって、本発明の課題は、携帯端末装置をそのまま使用して、撮影した対象物の画像が誤認識されても誤った情報を提供することを防止して情報提供する情報提供システム、問合せサーバ装置、情報提供方法、コンピュータプログラムを提供することである。
【手続補正５】
【補正対象書類名】明細書
【補正対象項目名】００１１
【補正方法】削除
【補正の内容】
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
基地局を介さずに通信装置の間で直接通信する通信ネットワークにおける通信装置であって、
前記通信ネットワークを形成するための通信パラメータを提供する提供元装置と該提供元装置から前記通信パラメータを提供される提供先装置と、のいずれで機能するかを所定のプロトコルにより判別する判別手段と、
前記判別手段による判別に基づいて、相手装置との間で暗号鍵の共有処理を行う際に前記相手装置に認証を要求する被認証側装置と、要求された認証処理を行う認証側装置と、のいずれで機能するかを決定する決定手段と、
を有することを特徴とする通信装置。
【請求項２】
前記判別手段により前記提供元装置として機能することが判別された場合は、前記決定手段は前記認証側装置として機能すると決定し、前記判別手段により前記提供先装置として機能することが判別された場合は、前記決定手段は前記被認証側装置として機能すると決定することを特徴とする請求項１記載の通信装置。
【請求項３】
前記通信パラメータの設定処理を行う相手装置との間で、前記通信パラメータ設定後のデータ通信の際に使用する暗号方式についてのネゴシエーションを行い、該ネゴシエーションの結果に基づいて前記決定手段による決定を行うか否かを判断することを特徴とする請求項１又は２記載の通信装置。
【請求項４】
前記ネゴシエーションの結果、前記通信ネットワークを構成する全ての通信装置において同一のグループ鍵の共有処理を実施する暗号方式を使用することが判別された場合には、前記決定手段による決定を行い、前記グループ鍵を用いない暗号方式を使用することが判別された場合には、前記決定手段による決定を行わないことを特徴とする請求項３記載の通信装置。
【請求項５】
前記グループ鍵は、前記通信パラメータの設定処理によって設定された通信パラメータを用いたネットワークが構築された後、周期的に更新されることを特徴とする請求項４記載の通信装置。
【請求項６】
前記グループ鍵は、前記通信パラメータの設定処理によって設定された通信パラメータを用いたネットワークが構築された後、該ネットワークに参加する通信装置の数の変更に応じて更新されることを特徴とする請求項４記載の通信装置。
【請求項７】
前記判別手段により前記提供元装置と判別された場合は、前記暗号鍵の共有処理を実行した後に、前記通信パラメータを提供した提供先装置に対して、前記提供先装置のリストを配布する配布手段を有することを特徴とする請求項１から６のいずれか１項に記載の通信装置。
【請求項８】
前記判別手段により前記提供先装置と判別された場合、前記暗号鍵の共有処理を実行した後に前記提供元装置から配布される、既に前記通信パラメータの提供を行った提供先装置のリストを受信する受信手段を有し、
前記提供元装置への再度の認証の要求に対して、前記提供元装置からの応答が無い場合、前記受信手段により受信したリストに基づいて、新たな認証側装置を選択することを特徴とする請求項１から６のいずれか１項に記載の通信装置。
【請求項９】
基地局を介さずに通信装置の間で直接通信するネットワークにおける通信装置の制御方法であって、
判別手段が、前記ネットワークを形成するための通信パラメータを提供する提供元装置と該提供元装置から前記通信パラメータを提供される提供先装置と、のいずれで機能するかを所定のプロトコルにより判別する判別工程と、
決定手段が、前記判別工程における判別に基づいて、相手装置との間で暗号鍵の共有処理を行う際に前記相手装置に認証を要求する被認証側装置と、要求された認証処理を行う認証側装置と、のいずれで機能するかを決定する決定工程と、
を有することを特徴とする通信装置の制御方法。
【請求項１０】
請求項９記載の通信装置の制御方法をコンピュータに実行させるためのプログラム。
【手続補正２】
【補正対象書類名】明細書
【補正対象項目名】発明の名称
【補正方法】変更
【補正の内容】
【発明の名称】通信装置及びその制御方法
【手続補正３】
【補正対象書類名】明細書
【補正対象項目名】００１１
【補正方法】変更
【補正の内容】
【００１１】
また、本発明は、基地局を介さずに通信装置の間で直接通信するネットワークにおける通信装置の制御方法であって、判別手段が、前記ネットワークを形成するための通信パラメータを提供する提供元装置と該提供元装置から前記通信パラメータを提供される提供先装置と、のいずれで機能するかを所定のプロトコルにより判別する判別工程と、決定手段が、前記判別工程における判別に基づいて、相手装置との間で暗号鍵の共有処理を行う際に前記相手装置に認証を要求する被認証側装置と、要求された認証処理を行う認証側装置と、のいずれで機能するかを決定する決定工程と、を有することを特徴とする。
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
複数配列された状態で遊技機列を構成するとともに、当該遊技機列の中で個々の独立した遊技動作を実行する遊技機であって、
遊技領域に向けて遊技球を発射可能な発射手段と、
前記発射手段により前記遊技領域に向けて発射された遊技球を受入可能な受入口と、
所定の演出画像を表示可能な演出画像表示手段と、
前記遊技動作の進行を制御する主制御手段と、
前記主制御手段に配線接続され、前記演出画像表示手段に表示される演出画像を制御する他の制御手段と、
を備える遊技機であって、
前記主制御手段は、
前記受入口への遊技球の受け入れを検出する受入検出手段と、
前記受入検出手段により遊技球の受け入れが検出されたことに基づいて、前記遊技動作としての内部的な抽選処理を行う抽選手段と、
前記内部的な抽選処理の結果が当たりであるときに、遊技者に有利な特典遊技を実行する特典遊技実行手段と、
前記内部的な抽選処理の結果および前記演出画像表示手段に表示される前記所定の演出画像にかかわる情報を、配線接続される前記他の制御手段に対して当該配線を介して送信する情報送信手段と、を有し、
前記他の制御手段は、
前記配線を介して前記主制御手段から送信された前記情報を受信する情報受信手段と、
前記情報受信手段により受信した前記情報に基づいて、前記内部的な抽選処理の結果としての所定の演出画像を前記演出画像表示手段に表示し、当該抽選処理の結果が少なくとも当たりである場合には、前記所定の演出画像として特定画像を表示する演出画像表示制御手段と、
前記演出画像表示手段に表示される演出画像に応じるかたちで電気的な補助演出を行い、前記特定画像が表示される場合には、前記演出画像を盛り上げる態様で電気的な特定演出を行いうる電気的演出手段と、
前記特定画像が表示される場合に、当該遊技機において当該特定画像が表示されることを認識可能な特定情報を機外に放出する情報放出手段と、
機外からの情報を収拾する情報収拾手段と、を有しており、
前記電気的演出手段は、
前記情報放出手段により当該遊技機において当該特定画像が表示されることを認識可能な特定情報が機外に放出された場合には、前記演出画像を盛り上げるものの当該盛り上げ度合いが抑制されたかたちで前記電気的な特定演出を行い、
前記情報収拾手段により前記他の遊技機から放出された特定情報が収拾されると、当該遊技機において前記内部的な抽選処理の結果が当たりである場合に表示されうる前記特定画像が表示される状態でなくとも、当該電気的な特定演出を、前記特定情報を放出した前記他の遊技機とあわせたかたちで伴に行う
ことを特徴とする遊技機。
【請求項２】
前記電気的演出手段は、
前記情報収拾手段により前記他の遊技機から放出された前記特定情報が収拾された場合には、前記情報放出手段により前記特定情報が放出された場合に行う特定演出の盛り上げ度合いと同じかまたはほぼ同じとなるように、前記特定演出を行う
請求項１に記載の遊技機。
【請求項３】
前記遊技機列が構成される遊技機島から供給される一の電源に対して２台以上の遊技機が接続されており、
前記電気的な特定演出は、互いに異なる電源に接続される複数の遊技機に跨って行われる
請求項１または２に記載の遊技機。
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
遊技領域に向けて遊技球を発射可能な発射手段と、
前記発射手段により前記遊技領域に向けて発射された遊技球を受入可能な受入口と、
前記受入口への遊技球の受け入れを検出する受入検出手段と、
前記受入検出手段により遊技球の受け入れが検出されたことに基づいて、内部的な抽選処理を行う抽選手段と、
前記内部的な抽選処理の結果が当たりであるときに、遊技者に有利な特典遊技を実行する特典遊技実行手段と、
前記内部的な抽選処理の結果としての所定の演出画像が表示され、当該抽選処理の結果が少なくとも当たりである場合には、前記所定の演出画像として、当該抽選処理の結果が当たりであることの期待感を遊技者に惹起させうる惹起画像が表示される演出画像表示手段と、
前記演出画像表示手段に表示される前記所定の演出画像の表示に応じるかたちで電気的な補助演出を行い、前記惹起画像が表示される場合に、前記補助演出として特定演出を行う電気的演出手段と、
を備え、
複数配列された状態で遊技機列を構成するとともに、少なくとも前記内部的な抽選処理を、当該遊技機列の中で独立した遊技動作として実行する遊技機であって、
前記惹起画像が表示される場合に、当該遊技機において当該惹起画像が表示されることが認識可能な当たり情報を機外の所定範囲に放出する情報放出手段と、
機外からの情報を収拾する情報収拾手段と、
をさらに備え、
前記情報収拾手段により前記当たり情報が収拾されると、当該遊技機において前記内部的な抽選処理の結果が当たりである場合に表示される前記惹起画像が表示される状態でなくとも、前記電気的演出手段にて前記補助演出として前記特定演出が行われることにより、他の遊技機において前記惹起画像が表示されることを伴にアピールできるようにした
ことを特徴とする遊技機。
【請求項２】
複数配列された状態で遊技機列を構成するとともに、当該遊技機列の中で個々の独立した遊技動作を実行する遊技機であって、
遊技領域に向けて遊技球を発射可能な発射手段と、
前記発射手段により前記遊技領域に向けて発射された遊技球を受入可能な受入口と、
所定の演出画像を表示可能な演出画像表示手段と、
前記遊技動作の進行を制御する主制御手段と、
前記主制御手段に配線接続され、前記演出画像表示手段に表示される演出画像を制御する他の制御手段と、
を備え、
前記主制御手段は、
前記受入口への遊技球の受け入れを検出する受入検出手段と、
前記受入検出手段により遊技球の受け入れが検出されたことに基づいて、内部的な抽選処理を行う抽選手段と、
前記内部的な抽選処理の結果が当たりであるときに、遊技者に有利な特典遊技を実行する特典遊技実行手段と、
前記内部的な抽選処理の結果および前記演出画像表示手段に表示される前記所定の演出画像にかかわる情報を、配線接続される前記他の制御手段に対して当該配線を介して送信する情報送信手段と、を有し、
前記他の制御手段は、
前記配線を介して前記主制御手段から送信された前記情報を受信する情報受信手段と、
前記情報受信手段により受信した前記情報に基づいて、前記内部的な抽選処理の結果としての所定の演出画像を前記演出画像表示手段に表示し、当該抽選処理の結果が当たりである場合には、前記所定の演出画像として惹起画像を表示する演出画像表示制御手段と、
前記演出画像表示制御手段による画像表示に応じるかたちで（電気的）補助演出を行い、前記惹起画像が表示される場合に、前記補助演出として（電気的）特定演出を行う電気的演出手段と、を有しており、
前記他の制御手段は、さらに、
前記惹起画像が表示される場合に、当該遊技機において当該惹起画像が表示されることが認識可能な当たり情報を機外の所定範囲に放つ情報放出手段と、
機外からの情報を収拾する情報収拾手段と、を有すると共に、
前記電気的演出手段は、
前記情報収拾手段により前記当たり情報が収拾されると、当該遊技機において前記内部的な抽選処理の結果が当たりである場合に表示される前記所定の演出画像としての前記惹起画像が表示される状態でなくとも、前記補助演出として前記特定演出を行うことにより、他の遊技機において前記惹起画像が表示されることを伴にアピールできるようにした
ことを特徴とする遊技機。
【請求項３】
前記当たり情報を放出した場合に行われる特定演出の盛り上げ度合いと、前記当たり情報を収拾した場合に行われる特定演出の盛り上げ度合いと、が同じかまたはほぼ同じとなるように、前記電気的演出手段による前記特定演出が行われる
請求項１または２に記載の遊技機。
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
複数の図柄が回転表示される図柄表示手段と、
前記図柄表示手段における図柄の回転表示を開始させるスタート操作手段と、
前記スタート操作手段の操作に基づいて当選役についての抽選を行う役抽選手段と、
前記役抽選手段による抽選の結果に基づいて前記回転表示の停止にかかる制御を行う回転停止制御手段と、
前記回転表示が停止されたときの前記図柄の表示態様に基づいて、遊技者に特典が付与される所定条件が成立したか否かを判断する抽選判断手段と、
前記抽選判断手段により前記所定条件が成立した旨判断されたとき、遊技者に特典が付与されるボーナスゲームを実行する特典付与手段と、
所定の表示面にて演出表示を行う演出表示制御手段と、を備え、
前記回転停止制御手段は、
前記役抽選手段により前記当選役のうちの特別役が当選されたときにのみ当該当選を契機に前記所定条件が成立する図柄の表示態様にて前記回転表示を停止可能とする特別停止制御手段を有しており、
前記演出表示制御手段は、
前記役抽選手段により前記当選役のうちの特別役が当選されたことを契機に、前記所定条件が成立する図柄の表示態様にて前記回転表示が停止可能となったことを遊技者が把握可能となるように確定表示を行う旨決定可能な内部決定処理と、
前記所定条件が成立する図柄の表示態様にて前記回転表示が停止可能とされているときに、前記所定の表示面のうちの前記確定表示が行われる領域に対しての遊技者による特定の行為があったことを契機に、前記確定表示を行う旨決定可能な謝意的決定処理と
を実行可能であり、それら決定処理の少なくとも一方にて前記確定表示を行う旨決定されたことに基づいて前記確定表示を行う完告内外制御手段、及び
前記役抽選手段により前記当選役のうちの特別役が当選された状況にあるにもかかわらず前記完告内外制御手段による前記内部決定処理が実行されないようにすることによって、前記内部決定処理と前記謝意的決定処理とのうちの前記謝意的決定処理によってのみ前記確定表示を行う旨決定可能とされる期間を創出する支援優遇制御手段
を有しており、
前記完告内外制御手段は、
前記確定表示が行われる領域に対しての遊技者による特定の行為が行われる頻度を算出する頻度算出手段を有し、該頻度算出手段により算出される前記特定の行為の頻度の高低に基づいて、前記謝意的決定処理の実行にかかる制御態様を変化させる
ことを特徴とする遊技機。
【請求項２】
前記演出表示制御手段は、液晶表示装置の表示面にて演出表示を行う
請求項１に記載の遊技機。
【請求項３】
前記演出表示制御手段は、キャラクタ画像による演出表示を行う
請求項２に記載の遊技機。
【手続補正２】
【補正対象書類名】明細書
【補正対象項目名】０００９
【補正方法】変更
【補正の内容】
【０００９】
こうした目的を達成するため、請求項１に記載の発明では、複数の図柄が回転表示される図柄表示手段と、前記図柄表示手段における図柄の回転表示を開始させるスタート操作手段と、前記スタート操作手段の操作に基づいて当選役についての抽選を行う役抽選手段と、前記役抽選手段による抽選の結果に基づいて前記回転表示の停止にかかる制御を行う回転停止制御手段と、前記回転表示が停止されたときの前記図柄の表示態様に基づいて、遊技者に特典が付与される所定条件が成立したか否かを判断する抽選判断手段と、前記抽選判断手段により前記所定条件が成立した旨判断されたとき、遊技者に特典が付与されるボーナスゲームを実行する特典付与手段と、所定の表示面にて演出表示を行う演出表示制御手段と、を備え、前記回転停止制御手段は、前記役抽選手段により前記当選役のうちの特別役が当選されたときにのみ当該当選を契機に前記所定条件が成立する図柄の表示態様にて前記回転表示を停止可能とする特別停止制御手段を有しており、前記演出表示制御手段は、前記役抽選手段により前記当選役のうちの特別役が当選されたことを契機に、前記所定条件が成立する図柄の表示態様にて前記回転表示が停止可能となったことを遊技者が把握可能となるように確定表示を行う旨決定可能な内部決定処理と、前記所定条件が成立する図柄の表示態様にて前記回転表示が停止可能とされているときに、前記所定の表示面のうちの前記確定表示が行われる領域に対しての遊技者による特定の（支援）行為があったことを契機に、前記確定表示を行う旨決定可能な謝意的決定処理とを実行可能であり、それら決定処理の少なくとも一方にて前記確定表示を行う旨決定されたことに基づいて前記確定表示を行う完告内外制御手段、及び前記役抽選手段により前記当選役のうちの特別役が当選された状況にあるにもかかわらず前記完告内外制御手段による前記内部決定処理が実行されないようにすることによって、前記内部決定処理と前記謝意的決定処理とのうちの前記謝意的決定処理によってのみ前記確定表示を行う旨決定可能とされる期間を創出する支援優遇制御手段を有しており、前記完告内外制御手段は、前記確定表示が行われる領域に対しての遊技者による特定の（支援）行為が行われる頻度を算出する頻度算出手段を有し、該頻度算出手段により算出される前記特定の（支援）行為の頻度の高低に基づいて、前記謝意的決定処理の実行にかかる制御態様を変化させることを要旨とする。
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
複数の図柄が回転表示される回転表示ゲームが行われる図柄表示手段と、
前記図柄表示手段における図柄の回転表示ゲームを開始させるスタート操作手段と、
前記スタート操作手段の操作に基づいて当選役についての抽選を行う役抽選手段と、
前記役抽選手段による抽選の結果に基づいて前記回転表示の停止にかかる制御を行う回転停止制御手段と、
前記回転表示が停止されたときの前記図柄の表示態様に基づいて、前記回転表示ゲームの実行数が所定回数に達したことを契機として秘密裏に状態終了されうる有限遊技状態に制御可能な状態制御手段と、
所定の表示面にて演出表示を行う演出表示制御手段と、を備え、
前記演出表示制御手段は、
前記有限遊技状態が秘密裏に状態終了されて以降の所定期間にあるとき、前記所定の表示面のうちの特定領域に対しての遊技者による確認行為があったことを契機に、前記有限遊技状態が状態終了された旨を遊技者に確信させる状態告知表示を行う旨決定可能な回答的決定処理を実行する決定処理実行手段、及び
前記決定処理実行手段による前記回答的決定処理にて前記状態告知表示を行う旨決定されたことに基づいて前記状態告知表示を実行する回答的表示実行手段
を有しており、
前記決定処理実行手段は、
前記特定領域に対しての遊技者による確認行為が行われる頻度を算出する頻度算出手段を有し、該頻度算出手段により算出される前記確認行為の頻度の高低に基づいて、前記回答的決定処理の実行にかかる制御態様を変化させる
ことを特徴とする遊技機。
【請求項２】
前記演出表示制御手段は、液晶表示装置の表示面にて演出表示を行う
請求項１に記載の遊技機。
【請求項３】
前記演出表示制御手段は、キャラクタ画像による演出表示を行う
請求項２に記載の遊技機。